(57)【要約】【課題】本発明は、簡単な構成により静電気対策部品の一対の端面電極の導通を確認でき、一対の裏面電極と一対の上面電極の電気的接続を保証することができる静電気対策部品の端面電極の導通確認方法を提供することを目的とするものである。【解決手段】本発明の静電気対策部品の端面電極の導通確認方法は、第１の上面プローブ３１を一方の上面電極２２に、第２の上面プローブ３２を他方の上面電極２３に、第１の裏面プローブ３３を一方の裏面電極２７に、第２の裏面プローブ３４を他方の裏面電極２８にそれぞれ接触させ、さらに前記第１の裏面プローブ３３と第２の裏面プローブ３４との間を電気的に接続するように電流経路３５を形成し、かつ前記第１の上面プローブ３１と第２の上面プローブ３２との間に電源装置３６を接続したものである。【選択図】図６
2008172129.tif 000002
【特許請求の範囲】
【請求項１】
絶縁基板の上面両端部に形成されたギャップを有する一対の上面電極と、前記ギャップを充填するように形成された過電圧保護材料層と、前記絶縁基板の裏面両端部に形成された一対の裏面電極と、前記一対の上面電極と一対の裏面電極とを電気的に接続するように前記絶縁基板の両端面に形成された一対の端面電極とを備えた静電気対策部品において、第１の上面プローブを前記一対の上面電極のいずれか一方に、第２の上面プローブを前記一対の上面電極のいずれか他方に、第１の裏面プローブを前記一対の裏面電極のいずれか一方に、第２の裏面プローブを前記一対の裏面電極のいずれか他方にそれぞれ接触させ、さらに前記第１の裏面プローブと第２の裏面プローブとの間を電気的に接続するように電流経路を形成し、かつ前記第１の上面プローブと第２の上面プローブとの間に電源装置を接続した静電気対策部品の端面電極の導通確認方法。
【請求項２】
絶縁基板の上面両端部に形成されたギャップを有する一対の上面電極と、前記ギャップを充填するように形成された過電圧保護材料層と、前記絶縁基板の裏面両端部に形成された一対の裏面電極と、前記一対の上面電極と一対の裏面電極とを電気的に接続するように前記絶縁基板の両端面に形成された一対の端面電極とを備えた静電気対策部品において、第１の上面プローブを前記一対の上面電極のいずれか一方に、第２の上面プローブを前記一対の上面電極のいずれか他方に、第１の裏面プローブを前記一対の裏面電極のいずれか一方に、第２の裏面プローブを前記一対の裏面電極のいずれか他方にそれぞれ接触させ、さらに前記第１の上面プローブと第２の上面プローブとの間を電気的に接続するように電流経路を形成し、かつ前記第１の裏面プローブと第２の裏面プローブとの間に電源装置を接続した静電気対策部品の端面電極の導通確認方法。
【請求項３】
第１の上面プローブおよび第２の上面プローブをそれぞれ複数本接触させ、かつ第１の裏面プローブおよび第２の裏面プローブをそれぞれ複数本接触させるようにした請求項１または２記載の静電気対策部品の端面電極の導通確認方法。
【発明の詳細な説明】
【技術分野】
【０００１】
本発明は電子機器を静電気から保護する静電気対策部品の端面電極の導通確認方法に関するものである。
【背景技術】
【０００２】
近年、携帯電話等の電子機器の小型化、高性能化が急速に進み、それに伴い電子機器に用いられる電子部品の小型化も急速に進んでいる。しかしながら、その反面、この小型化に伴って電子機器や電子部品の耐電圧は低下するもので、これにより、人体と電子機器の端子が接触した時に発生する静電気パルスによって機器内部の電気回路が損傷するのが増えてきている。これは静電気パルスによって１ナノ秒以下の立ち上がり速度でかつ数百ボルトから数キロボルトという高電圧が機器内部の電気回路に印加されるからである。
【０００３】
このような静電気対策として、図９、図１０の上面仕掛かり図、図１１の上面図および図１２の斜視図に示すように、絶縁基板１の上面の両端部に形成された一対の上面電極２，３によって形成されるギャップ４を充填するように過電圧保護材料層５を配置し、この過電圧保護材料層５のすべてと一対の上面電極２，３の一部を覆う保護膜６を設け、さらに絶縁基板１の裏面の両端部に一対の裏面電極７，８を設け、この一対の裏面電極７，８と前記一対の上面電極２，３をそれぞれ電気的に接続するように絶縁基板１の両端面に一対の端面電極９，１０を形成した静電気対策部品が提案されている。このタイプの静電気対策部品は、通常時は抵抗値が１×１０10Ω〜１×１０12Ωと高いため、電流は流れないが、静電気等の過電圧が印加された場合には、過電圧保護材料層５のインピーダンスが低下して放電電流が流れるものである。そこで、このタイプの静電気対策部品の特性検査工程においては、絶縁基板１の両端面に形成された一対の端面電極９，１０によって一対の上面電極２，３と一対の裏面電極７，８との電気的接続が保証されていることを確認する導通確認の工程が必要不可欠になるものである。
【０００４】
図１３および図１４は、従来の端面電極の導通確認方法を示す図である。ここでは、図１３に示すように、第１の裏面プローブ１１と第２の裏面プローブ１２が矢印の方向に上下動することによって第１の裏面プローブ１１が一方の裏面電極７と、第２の裏面プローブ１２が他方の裏面電極８とそれぞれ接触し、さらに図１４に示すように、第１の裏面プローブ１１と第２の裏面プローブ１２との間には直流電源装置１３が接続されているため、図１４に示す矢印の方向に電流を流すことによって、端面電極９，１０の導通を確認していた。
【０００５】
なお、この出願の発明に関する先行技術文献情報としては、例えば、特許文献１が知られている。
【特許文献１】特開平１１−２４２０６２号公報
【発明の開示】
【発明が解決しようとする課題】
【０００６】
特許文献１に記載の従来の電子部品の検査方法においては、微小サイズの電子部品において測定端子と外部電極との接触性を確保するために、外部電極表面に存在する酸化物や有機物の絶縁皮膜を破壊しうる電気信号を測定端子に印加する手法が開示されている。しかしながら、この特許文献１に記載の検査方法を上記した電子部品の端面電極の導通確認方法に適用する際には、一対の上面電極２，３間に存在する機能素子が常に電流を流す性質を持つ電子部品である場合、例えばこの電子部品が角形チップ抵抗器である場合には有効な手段であるが、この電子部品が図９〜図１２で説明した静電気対策部品である場合は、一対の上面電極２，３の間のギャップ４を充填する過電圧保護材料層５が通常時は絶縁体であるため、図１４に示すような方法で検査を行っても矢印１４の部分においては、ほとんど電流が流れず、このため、一対の端面電極９，１０の導通を確認すること、すなわち一対の裏面電極７，８と一対の上面電極２，３の電気的接続を保証することができないという課題を有していた。一方、図９〜図１２で説明した静電気対策部品に静電気等の過電圧を印加することにより、過電圧保護材料層５に電流が流れる状態にしてから一対の端面電極９，１０の導通を確認する方法も考えられるが、この場合は、検査工程において数キロボルト以上の過電圧を印加する装置を別途準備する必要があるため、検査工程の煩雑化ならびにコストアップを招くものであった。
【０００７】
本発明は上記従来の課題を解決するもので、簡単な構成により静電気対策部品の一対の端面電極の導通を確認でき、一対の裏面電極と一対の上面電極の電気的接続を保証することができる静電気対策部品の端面電極の導通確認方法を提供することを目的とするものである。
【課題を解決するための手段】
【０００８】
上記目的を達成するために、本発明は以下の構成を有するものである。
【０００９】
本発明の請求項１に記載の発明は、絶縁基板の上面両端部に形成されたギャップを有する一対の上面電極と、前記ギャップを充填するように形成された過電圧保護材料層と、前記絶縁基板の裏面両端部に形成された一対の裏面電極と、前記一対の上面電極と一対の裏面電極とを電気的に接続するように前記絶縁基板の両端面に形成された一対の端面電極とを備えた静電気対策部品において、第１の上面プローブを前記一対の上面電極のいずれか一方に、第２の上面プローブを前記一対の上面電極のいずれか他方に、第１の裏面プローブを前記一対の裏面電極のいずれか一方に、第２の裏面プローブを前記一対の裏面電極のいずれか他方にそれぞれ接触させ、さらに前記第１の裏面プローブと第２の裏面プローブとの間を電気的に接続するように電流経路を形成し、かつ前記第１の上面プローブと第２の上面プローブとの間に電源装置を接続したもので、この構成によれば、第１の裏面プローブと第２の裏面プローブとの間を電気的に接続するように電流経路を形成し、かつ第１の上面プローブと第２の上面プローブとの間に電源装置を接続しているため、電流は第１の上面プローブから一方の上面電極、端面電極、裏面電極を通って第１の裏面プローブに至り、そしてこの第１の裏面プローブから電流経路、第２の裏面プローブを経由し、かつ他方の裏面電極、端面電極、上面電極を通って第２の上面プローブまで流れることになり、これにより、静電気対策部品の一対の端面電極の導通を確認することができるため、この導通確認により一対の裏面電極と一対の上面電極の電気的接続を保証することができるという作用効果が得られるものである。
【００１０】
本発明の請求項２に記載の発明は、絶縁基板の上面両端部に形成されたギャップを有する一対の上面電極と、前記ギャップを充填するように形成された過電圧保護材料層と、前記絶縁基板の裏面両端部に形成された一対の裏面電極と、前記一対の上面電極と一対の裏面電極とを電気的に接続するように前記絶縁基板の両端面に形成された一対の端面電極とを備えた静電気対策部品において、第１の上面プローブを前記一対の上面電極のいずれか一方に、第２の上面プローブを前記一対の上面電極のいずれか他方に、第１の裏面プローブを前記一対の裏面電極のいずれか一方に、第２の裏面プローブを前記一対の裏面電極のいずれか他方にそれぞれ接触させ、さらに前記第１の上面プローブと第２の上面プローブとの間を電気的に接続するように電流経路を形成し、かつ前記第１の裏面プローブと第２の裏面プローブとの間に電源装置を接続したもので、この構成によれば、第１の上面プローブと第２の上面プローブとの間を電気的に接続するように電流経路を形成し、かつ第１の裏面プローブと第２の裏面プローブとの間に電源装置を接続しているため、電流は第１の裏面プローブから一方の裏面電極、端面電極、上面電極を通って第１の上面プローブに至り、そしてこの第１の上面プローブから電流経路、第２の上面プローブを経由し、かつ他方の上面電極、端面電極、裏面電極を通って第２の裏面プローブまで流れることになり、これにより、静電気対策部品の一対の端面電極の導通を確認することができるため、この導通確認により一対の裏面電極と一対の上面電極の電気的接続を保証することができるという作用効果が得られるものである。
【００１１】
本発明の請求項３に記載の発明は、特に、第１の上面プローブおよび第２の上面プローブをそれぞれ複数本接触させ、かつ第１の裏面プローブおよび第２の裏面プローブをそれぞれ複数本接触させるようにしたもので、この構成によれば、第１の上面プローブおよび第２の上面プローブをそれぞれ複数本接触させ、かつ第１の裏面プローブおよび第２の裏面プローブをそれぞれ複数本接触させるようにしているため、絶縁基板の両端部でそれぞれ複数本のプローブを用いて４点以上で静電気対策部品を挟み込むように支えることができ、これにより、静電気対策部品の各電極とプローブとの電気的接続が安定したものとなるため、安定した状態で静電気対策部品の一対の端面電極の導通を確実に確認することができ、これにより、一対の裏面電極と一対の上面電極の電気的接続を確実に保証することができるという作用効果が得られるものである。
【発明の効果】
【００１２】
以上のように本発明の静電気対策部品の端面電極の導通確認方法は、第１の裏面プローブと第２の裏面プローブとの間を電気的に接続するように電流経路を形成し、かつ第１の上面プローブと第２の上面プローブとの間に電源装置を接続しているため、電流は第１の上面プローブから一方の上面電極、端面電極、裏面電極を通って第１の裏面プローブに至り、そしてこの第１の裏面プローブから電流経路、第２の裏面プローブを経由し、かつ他方の裏面電極、端面電極、上面電極を通って第２の上面プローブまで流れることになり、これにより、静電気対策部品の一対の端面電極の導通を確認することができるため、この導通確認により一対の裏面電極と一対の上面電極の電気的接続を保証することができるという優れた効果を奏するものである。
【発明を実施するための最良の形態】
【００１３】
（実施の形態１）
以下、本発明の実施の形態１を用いて、本発明の特に請求項１，３に記載の発明について説明する。
【００１４】
図１および図２は本発明の実施の形態１における被測定物である静電気対策部品の上面仕掛かり図、図３は同静電気対策部品の上面図、図４は同静電気対策部品の斜視図、図５および図６は同静電気対策部品の端面電極の導通確認方法を示す図である。
【００１５】
本発明の実施の形態１における被測定物である静電気対策部品は、図１〜図４に示すように、絶縁基板２１の上面の両端部に形成した一対の上面電極２２，２３によって形成される幅約１０μｍのギャップ２４を充填するように、金属粉とシリコーン系樹脂の混合物に有機溶剤を加えて混練したペーストを印刷して過電圧保護材料層２５を形成し、その後、この過電圧保護材料層２５のすべてと一対の上面電極２２，２３の一部を覆うように保護膜２６を形成し、そして前記絶縁基板２１の裏面の両端部に一対の裏面電極２７，２８を形成し、さらにこの一対の裏面電極２７，２８と前記一対の上面電極２２，２３をそれぞれ電気的に接続するように絶縁基板２１の両端面に一対の端面電極２９，３０を形成しているものである。ここで、このタイプの静電気対策部品に静電気等の過電圧が印加された場合には、過電圧保護材料層２５のインピーダンスが低下するため放電電流が流れるが、通常時は過電圧保護材料層２５の抵抗値が１×１０10Ω〜１×１０12Ωと高いため電流は流れないものである。そこで、このタイプの静電気対策部品の特性検査工程においては、静電気対策部品の一対の端面電極２９，３０の導通を確認して一対の裏面電極２７，２８と一対の上面電極２２，２３の電気的接続を保証する必要性があることから、端面電極の導通確認工程が必要不可欠となるものである。以下、本発明の実施の形態１における静電気対策部品の端面電極の導通確認方法の詳細を、図５および図６を用いて説明する。
【００１６】
図５において、３１は一方の上面電極２２に接触させる第１の上面プローブ、３２は他方の上面電極２３に接触させる第２の上面プローブ、３３は一方の裏面電極２７に接触させる第１の裏面プローブ、３４は他方の裏面電極２８に接触させる第２の裏面プローブ、３５は第１の裏面プローブ３３と第２の裏面プローブ３４を電気的に接続するように形成された導体板または導線からなる電流経路である。この構成において、プローブと電極との電気的接触を確保する場合は、第１の上面プローブ３１、第２の上面プローブ３２、第１の裏面プローブ３３および第２の裏面プローブ３４をそれぞれ矢印の方向に移動させて、第１の上面プローブ３１、第２の上面プローブ３２、第１の裏面プローブ３３および第２の裏面プローブ３４により静電気対策部品を上下方向から挟み込むことによって、それぞれのプローブと電極との電気的接触を確保するものである。このようにすることにより、第１の上面プローブ３１から一方の上面電極２２、一方の端面電極２９、一方の裏面電極２７、第１の裏面プローブ３３、電流経路３５、第２の裏面プローブ３４、他方の裏面電極２８、他方の端面電極３０、他方の上面電極２３を経て第２の上面プローブ３２に至る電気回路が形成されてこれらが電気的に接続されるため、図６に示すように第１の上面プローブ３１と第２の上面プローブ３２の間に電源装置３６を接続して矢印方向に電流を流すことにより、一対の端面電極２９，３０の導通を確認できるものである。このようにして、静電気対策部品の一対の端面電極２９，３０の導通を確認することにより、一対の裏面電極２７，２８と一対の上面電極２２，２３の電気的接続を保証できるものである。
【００１７】
また、上記本発明の実施の形態１においては図５に示すように、２本の第１の上面プローブ３１を一方の上面電極２２に、２本の第２の上面プローブ３２を他方の上面電極２３に、２本の第１の裏面プローブ３３を一方の裏面電極２７に、２本の第２の裏面プローブ３４を他方の裏面電極２８にそれぞれ接触させているもので、このように絶縁基板２１の上面と裏面の両端部においてそれぞれ２本のプローブを用い、４点で静電気対策部品を挟み込んで支えるようにすれば、各プローブがそれぞれ１本ずつしかなく２点で支えるようにしたものに比べ、安定した構造が得られ、そして各電極と各プローブとの電気的接触も確実になって静電気対策部品の一対の端面電極２９，３０の導通を確実に確認できるものである。なお、各プローブの本数は２本に限定されるものではなく、３本以上の複数本としても良いものである。
【００１８】
（実施の形態２）
以下、本発明の実施の形態２を用いて、本発明の特に請求項２，３に記載の発明について説明する。
【００１９】
本発明の実施の形態２における被測定物である静電気対策部品は、上記した本発明の実施の形態１において図１〜図４を用いて説明したものと同一の構成であるため、その説明は省略する。
【００２０】
以下、本発明の実施の形態２における静電気対策部品の端面電極の導通確認方法の詳細を、図７および図８を用いて説明する。
【００２１】
図７において、３１は一方の上面電極２２に接触させる第１の上面プローブ、３２は他方の上面電極２３に接触させる第２の上面プローブ、３３は一方の裏面電極２７に接触させる第１の裏面プローブ、３４は他方の裏面電極２８に接触させる第２の裏面プローブ、３５は第１の上面プローブ３１と第２の上面プローブ３２を電気的に接続するように形成された導体板または導線からなる電流経路である。この構成において、プローブと電極との電気的接触を確保する場合は、第１の上面プローブ３１、第２の上面プローブ３２、第１の裏面プローブ３３および第２の裏面プローブ３４をそれぞれ矢印の方向に移動させて、第１の上面プローブ３１、第２の上面プローブ３２、第１の裏面プローブ３３および第２の裏面プローブ３４により静電気対策部品を上下方向から挟み込むことによって、それぞれのプローブと電極との電気的接触を確保するものである。このようにすることにより、第１の裏面プローブ３３から一方の裏面電極２７、一方の端面電極２９、一方の上面電極２２、第１の上面プローブ３１、電流経路３５、第２の上面プローブ３２、他方の上面電極２３、他方の端面電極３０、他方の裏面電極２８を経て第２の裏面プローブ３４に至る電気回路が形成されてこれらが電気的に接続されるため、図８に示すように第１の裏面プローブ３３と第２の裏面プローブ３４の間に電源装置３６を接続して矢印方向に電流を流すことにより、一対の端面電極２９，３０の導通を確認できるものである。このようにして、静電気対策部品の一対の端面電極２９，３０の導通を確認することにより、一対の裏面電極２７，２８と一対の上面電極２２，２３の電気的接続を保証できるものである。
【００２２】
また、上記本発明の実施の形態２においては図７に示すように、２本の第１の上面プローブ３１を一方の上面電極２２に、２本の第２の上面プローブ３２を他方の上面電極２３に、２本の第１の裏面プローブ３３を一方の裏面電極２７に、２本の第２の裏面プローブ３４を他方の裏面電極２８にそれぞれ接触させているもので、このように絶縁基板２１の上面と裏面の両端部においてそれぞれ２本のプローブを用い、４点で静電気対策部品を挟み込んで支えるようにすれば、各プローブがそれぞれ１本ずつしかなく２点で支えるようにしたものに比べ、安定した構造が得られ、そして各電極と各プローブとの電気的接触も確実になって静電気対策部品の一対の端面電極２９，３０の導通を確実に確認できるものである。なお、各プローブの本数は２本に限定されるものではなく、３本以上の複数本としても良いものである。
【産業上の利用可能性】
【００２３】
本発明に係る静電気対策部品の端面電極の導通確認方法は、第１の裏面プローブと第２の裏面プローブとの間を電気的に接続するように電流経路を形成し、かつ第１の上面プローブと第２の上面プローブとの間に電源装置を接続した構成とすることにより、簡単な構成により静電気対策部品の一対の端面電極の導通を確認できて一対の裏面電極と一対の上面電極の電気的接続を保証することができるという効果を有するものであり、特に電子機器を静電気から保護する静電気対策部品の端面電極の導通確認方法において有用となるものである。
【図面の簡単な説明】
【００２４】
【図１】本発明の実施の形態１における被測定物である静電気対策部品の上面仕掛かり図
【図２】同静電気対策部品の上面仕掛かり図
【図３】同静電気対策部品の上面図
【図４】同静電気対策部品の斜視図
【図５】同静電気対策部品の端面電極の導通確認方法を示す図
【図６】同静電気対策部品の端面電極の導通確認方法を示す図
【図７】本発明の実施の形態２における被測定物である静電気対策部品の端面電極の導通確認方法を示す図
【図８】同静電気対策部品の端面電極の導通確認方法を示す図
【図９】従来の被測定物である静電気対策部品の上面仕掛かり図
【図１０】同静電気対策部品の上面仕掛かり図
【図１１】同静電気対策部品の上面図
【図１２】同静電気対策部品の斜視図
【図１３】同静電気対策部品の端面電極の導通確認方法を示す図
【図１４】同静電気対策部品の端面電極の導通確認方法を示す図
【符号の説明】
【００２５】
２１  絶縁基板
２２，２３  一対の上面電極
２４  ギャップ
２５  過電圧保護材料層
２７，２８  一対の裏面電極
２９，３０  一対の端面電極
３１  第１の上面プローブ
３２  第２の上面プローブ
３３  第１の裏面プローブ
３４  第２の裏面プローブ
３５  電流経路
３６  電源装置
【図１】
2008172129.tif 000003
【図２】
2008172129.tif 000004
【図３】
2008172129.tif 000005
【図４】
2008172129.tif 000006
【図５】
2008172129.tif 000007
【図６】
2008172129.tif 000008
【図７】
2008172129.tif 000009
【図８】
2008172129.tif 000010
【図９】
2008172129.tif 000011
【図１０】
2008172129.tif 000012
【図１１】
2008172129.tif 000013
【図１２】
2008172129.tif 000014
【図１３】
2008172129.tif 000015
【図１４】
2008172129.tif 000016